(57)【要約】【課題】履き替えに行くために持っていても、履き替えに行くことが他人にわかりにくく、化粧小物や生理用品を持っているとも思われにくい、パンティストッキングを収納するパッケージを提供する。【解決手段】この下半身衣類用パッケージＰは、芯板３００にパンティストッキング４００を六つ折り程度に巻き付けて、それらをパッケージ本体１００に内包して構成される。パッケージ本体１００は、表面および裏面が幅Ｗおよび高さＨが略同じ略正方形で、厚みＴが薄く、右側の側面１２０が開放されている。パッケージ本体１００における略正方形の１辺の長さ（幅Ｗまたは高さＨに対応する長さ)はパンティストッキング４００の長さＬの１／４〜１／８で、パッケージ本体１００における厚みＴは略正方形の１辺の長さの１／６〜１／１２である。【選択図】図１
2018012538.tif 000002
【特許請求の範囲】
【請求項１】
少なくとも太腿から足首までの脚を覆う下半身衣類に適した下半身衣類用パッケージであって、
前記下半身衣類用パッケージに内包される下半身衣類を巻き付ける芯板と、
前記芯板に巻き付けられた下半身衣類を少なくとも１つ収納することが可能な容積を備えた直方体形状のパッケージ本体とを含み、
前記直方体形状は、表面および裏面が略正方形で、厚みが薄く、１つの側面が開放され、前記略正方形の１辺は前記下半身衣類の長さの１／４〜１／８で、前記厚みは前記略正方形の１辺の１／６〜１／１２であり、
前記芯板に巻き付けられた下半身衣類が、前記開放された側面から収納されることを特徴とする下半身衣類用パッケージ。
【発明の詳細な説明】
【技術分野】
【０００１】
本発明は、衣類を販売するときに用いられるパッケージに関し、特に、下半身衣類であるストッキング、パンティストッキングまたはタイツ等の販売に用いられる下半身衣類用パッケージに関する。
【背景技術】
【０００２】
一般に、衣類は、需要促進、販売促進、購買意欲喚起等のため、新素材の利用、着用性、体形補正等の各種の機能性向上や種々の改良が行われ、それらの改良がなされた衣類を展示販売するために、衣類に適したパッケージが種々工夫されている。
このような衣類の中の１つである下半身衣類の一例であるパンティストッキングについては、登録実用新案第３０４８２５９号公報（特許文献１）の図４または図５に示すような、薄い長方形形状のパッケージが採用されていることが多い。また、この特許文献１に開示されたパッケージを複数纏めた外装パッケージが特開２００２−３３２０８３号公報（特許文献２）の図５に、パンティストッキングを小さく丸めた俵型の個装パッケージを形成してそれを複数纏めた外装パッケージが特許文献２の図２に、それぞれ示されている。
【先行技術文献】
【特許文献】
【０００３】
【特許文献１】登録実用新案第３０４８２５９号公報
【特許文献２】特開２００２−３３２０８３号公報
【発明の概要】
【発明が解決しようとする課題】
【０００４】
ところで、このようなパンティストッキングは、その一部でも破れたり伝線したりすると履き替える必要がある。自宅ではなく外出先等で履き替える場合には、たとえばトイレ等で履き替える場合が多い。
しかしながら、特許文献１の図４または図５に示されたパッケージおよび特許文献２の図５に示されたパッケージを持って履き替えに行ったのでは、これらのパッケージは平面が長方形形状の厚みが薄い直方体形状を備えるため、いかにもパンティストッキングを履き替えに行くことが他人に明白であって、着用者が好まない場合がある。
【０００５】
さらに、特許文献２の図２に示されたパッケージを持って履き替えに行ったのでは、これらのパッケージは平面が長方形形状の厚みが薄い直方体形状を備えるため（個別に取り出さない場合）、または、俵型に小さく丸められた形状を備えるため（個別に取り出した場合）、いかにもパンティストッキングを履き替えに行くことが他人に明白になったり、化粧小物や生理用品を持っていると他人に思われたりして、着用者が好まない場合がある。
【０００６】
なお、パッケージからパンティストッキングを取り出して履き替えに行くのでは、パンティストッキングそのものが見えてしまうか、パンティストッキングが見えないように（カバンに入れてカバンを持って行く等の）手間を掛けなければならない。
本発明は、従来技術の上述の問題点に鑑みて開発されたものであり、その目的とするところは、下半身衣類であるストッキング、パンティストッキングまたはタイツ等の販売に用いられる下半身衣類用パッケージであって、着用者が履き替えに行くために持っていても、下半身衣類を履き替えに行くことが他人にわかりにくく、化粧小物や生理用品を持っているとも思われにくい、下半身衣類用パッケージを提供することを目的とする。
【課題を解決するための手段】
【０００７】
上記目的を達成するため、本発明に係る下半身衣類用パッケージは以下の技術的手段を講じている。
すなわち、本発明の下半身衣類用パッケージは、少なくとも太腿から足首までの脚を覆う下半身衣類に適した下半身衣類用パッケージであって、前記下半身衣類用パッケージに内包される下半身衣類を巻き付ける芯板と、前記芯板に巻き付けられた下半身衣類を少な
くとも１つ収納することが可能な容積を備えた直方体形状のパッケージ本体とを含み、前記直方体形状は、表面および裏面が略正方形で、厚みが薄く、１つの側面が開放され、前記略正方形の１辺は前記下半身衣類の長さの１／４〜１／８で、前記厚みは前記略正方形の１辺の１／６〜１／１２であり、前記芯板に巻き付けられた下半身衣類が、前記開放された側面から収納されることを特徴とする。
【０００８】
好ましくは、前記芯板に巻き付けられた下半身衣類を収納する袋状の個装フィルムをさらに含み、前記個装フィルムに収納された下半身衣類が、前記パッケージ本体に収納されるように構成することができる。
さらに好ましくは、前記パッケージ本体の形状に対応する袋状の外装フィルムをさらに含み、前記下半身衣類が収納されたパッケージ本体が前記外装フィルムに収納されるように構成することができる。
【発明の効果】
【０００９】
本発明の下半身衣類用パッケージによれば、下半身衣類であるストッキング、パンティストッキングまたはタイツ等の販売に用いられる下半身衣類用パッケージであって、着用者が履き替えに行くために持っていても、下半身衣類を履き替えに行くことが他人にわかりにくく、化粧小物や生理用品を持っているとも思われにくい、下半身衣類用パッケージを提供することができる。
【図面の簡単な説明】
【００１０】
【図１】本発明の実施の形態に係る下半身衣類用パッケージを説明するための図である。
【発明を実施するための形態】
【００１１】
以下、本発明の実施の形態に係る下半身衣類用パッケージＰを、図面に基づき詳しく説明する。なお、以下においては、下半身衣類用パッケージＰに包装されて展示販売される下半身衣類は、パンティストッキング４００であるとして説明する。ここで、下半身衣類には、パンティーストッキングを含めて、
パンティ部がないストッキングであっても構わないし、パンティーストッキングおよびストッキングよりも厚手のタイツ（パンティ部の有無は問わない）であっても構わないし、このような下半身衣類の一部（足首より先の部分等）を欠落させた、スパッツ、レギンスおよびトレンカ等の呼び名を有する形状のものも含むものとする。ここで、この下半身衣類用パッケージＰに包装されて展示販売される下半身衣類としては、これらに限定されるものではなく、薄手の下半身衣類であって、長手方向に折り畳んだり巻いたりすることのできることが、特に、この下半身衣類用パッケージＰに好ましい。また、以下においては、この下半身衣類用パッケージＰの全体を斜視図で示した図１（Ｉ）における上下左右方向を基準として説明する。
【００１２】
図１に、本実施の形態に係る下半身衣類用パッケージＰを説明するための図を示す。この図１に示すように、この下半身衣類用パッケージＰは、台紙である芯板３００にパンティストッキング４００を巻き付けて、それらを透明の個装フィルム２００に収納して、それをパッケージ本体１００に内包し、１個以上（ここでは３個）のパンティストッキング４００が内包されたパッケージ本体１００を透明の外装フィルム（図示しない）を被せて構成される。なお、個装フィルム２００および外装フィルムは、本発明における必須の構成要件ではなく、透明であることが必須でもない。
【００１３】
すなわち、この下半身衣類用パッケージＰは、少なくとも太腿から足首までの脚を覆う下半身衣類（ここではパンティストッキング４００）に適しており、この下半身衣類用パッケージＰに内包されるパンティストッキング４００を巻き付ける芯板３００と、芯板３００に巻き付けられたパンティストッキング４００を少なくとも１つ（ここでは３つ）収納することが可能な容積を備えた直方体形状のパッケージ本体１００とを含む。そして、このパッケージ本体１００の形状である直方体形状は、表面および裏面が略正方形（図１(Ｉ）における幅Ｗおよび高さＨが略同じ)で、厚み（図１(Ｉ）における厚みＴ)が薄く、１つの側面（図１（Ｉ）における向かって右側側面）が開放されている。さらに、パッケージ本体１００における略正方形の１辺の長さ（図１(Ｉ）における幅Ｗまたは高さＨに
対応する長さ)はパンティストッキング４００の長さ（図１(Ａ）における長さＬ)の１／４〜１／８（ここでは六つ折りに対応する１／６程度）で、パッケージ本体１００における厚みＴは略正方形の１辺の長さの１／６〜１／１２（ここでは１／８程度）である。そして、芯板３００に巻き付けられたパンティストッキング４００が、開放された側面（図１（Ｉ）における向かって右側側面）から収納されて構成されている。
【００１４】
上述したように、芯板３００に巻き付けられたパンティストッキング４００を袋状の個装フィルム２００に収納して個装フィルム２００に収納されたパンティストッキング４００をパッケージ本体１００に収納するようにしても構わないし、パンティストッキング４００が収納されたパッケージ本体１００をその形状に対応する袋状の外装フィルムに収納するようにしても構わない。
【００１５】
特徴的であるのは、この下半身衣類用パッケージＰの全体形状（平面視で略正方形で厚みが薄い形状）が、音楽等を記録したＣＤ（Ｃｏｍｐａｃｔ  Ｄｉｓｃ）用のケース等に類似するブックレット形状を備える点である。
図１（Ａ）〜図１（Ｉ）を参照して、本実施の形態に係る下半身衣類用パッケージＰについてさらに詳しく説明する。なお、図１（Ａ）〜図１（Ｄ）は同じ縮尺（第１の縮尺）であって、図１（Ｅ）〜図１（Ｉ）は同じ縮尺（第２の縮尺）であって、第１の縮尺と第２の縮尺とは同じ縮尺ではない。
【００１６】
図１（Ａ）に示す長さＬで左右対象形状のパンティストッキング４００を矢示Ｒ（１）で折り返して図１（Ｂ）に示すように折り畳む。図１（Ｂ）に示すように折り畳んだパンティストッキング４００の長さが略Ｌ／２になるように、矢示Ｒ（２）で折り返して図１（Ｃ）に示すように２つ折りに折り畳む。図１（Ｂ）に示すように折り畳んだパンティストッキング４００に台紙である芯板３００を当てて、矢示Ｒ（３）および矢示Ｒ（４）で２回で折り返して図１（Ｄ）に示すように３つ折りに折り畳む。この結果、パンティストッキング４００は図１（Ｂ）に示す状態から図１（Ｄ）に示す状態へ、六つ折りに折り畳まれる。なお、本実施の形態に係る下半身衣類用パッケージＰに適用される折り畳み位置、回数、方法は、これに限定されるものではない。
【００１７】
図１（Ｅ）（図１（Ｅ）の上側の図は縮尺は違うが図１（Ｄ）に同じ）に示すように芯板３００に巻き付けるように六つ折りに折り畳まれたパンティストッキング４００を矢示Ｘ方向へ個装フィルム２００へ侵入させて、図１（Ｆ）に示すように芯板３００とともにパンティストッキング４００を個装フィルム２００に内包する。この個装フィルム２００は、六つ折りに折り畳まれたパンティストッキング４００を収納できる容積を備えた袋部２１０とその袋部２１０に延設されたフラップ部２２０とを備え、パンティストッキング４００が個装フィルム２００に内包された後に、図１（Ｇ）に示すように、フラップ部２２０が折り返される。
【００１８】
図１（Ｇ）に示す個装フィルム２００に内包されたパンティストッキング４００の１つ以上（ここでは３つ）を、パッケージ本体１００の開放された側面１２０から矢示Ｙ方向へパッケージ本体１００へ挿入させて、図１（Ｉ）に示すように本実施の形態に係る下半身衣類用パッケージＰが完成する。
このパッケージ本体１００は、個装フィルム２００に内包されたパンティストッキング４００を１つ以上（ここでは３つ）収納できる容積を備えた直方体１１０であって、開放された側面１２０を備えるとともに、表面および裏面における側面１２０の側が曲線状に切り欠かれて、個装フィルム２００に内包されたパンティストッキング４００の挿入（収納）および個装フィルム２００に内包されたパンティストッキング４００の離脱（取り出し）が容易に行えるようにしている。
【００１９】
このようにして形成された本実施の形態に係る下半身衣類用パッケージＰは、パッケージ本体１００における略正方形の１辺の長さ（図１(Ｉ）における幅Ｗまたは高さＨに対応する長さ)は、パンティストッキング４００を六つ折りにして折り畳んだので、パンティストッキング４００の長さ（図１(Ａ）における長さＬ)の１／６程度（好ましくは四つ折りに対応する１／４〜八つ折りに対応する１／８であれば構わない）で、パッケージ本体１００における厚みＴは略正方形の１辺の長さの１／８程度（１／６〜１／１２であれ
ば構わない）である。この下半身衣類用パッケージＰは、このようなＣＤケース等に類似するブックレット形状を備えるために、着用者がパンティストッキングを履き替えに行くためにこの下半身衣類用パッケージＰを持っていても、パンティストッキングを履き替えに行くことが他人にわかりにくく、化粧小物や生理用品を持っているとも思われにくい。
【００２０】
以上のようにして、本実施の形態に係る下半身衣類用パッケージＰによると、パンティストッキング等の販売に用いられる下半身衣類用パッケージであって、着用者が履き替えに行くために持っていても、パンティストッキング等を履き替えに行くことが他人にわかりにくく、化粧小物や生理用品を持っているとも思われにくいので、着用者が好まない事態を回避することができる。
【００２１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、パッケージ本体１００、個装フィルム２００または外装フィルムに、商品である下半身衣類の訴求点、サイズまたは色、このパッケージの訴求点（取り出しやすく収納しやすいブックレットタイプ）等を印刷するようにしても構わない。
【産業上の利用可能性】
【００２２】
本発明は、パンティストッキング等の下半身衣類のパッケージに好適であり、このパッケージを持っていても、パンティストッキング等を履き替えに行くことが他人にわかりにくく、化粧小物や生理用品を持っているとも思われにくい点で特に好適である。
【符号の説明】
【００２３】
Ｐ    下半身衣類用パッケージ
１００    パッケージ本体
２００    個装フィルム
３００    芯板
４００    パンティストッキング
【図１】
2018012538.tif 000003